(57)【特許請求の範囲】
【請求項１】
金融商品の詳細内容が表示されるウェブページをリンク先とし、このリンク先へのリンクが張られるとともに該リンク先へのリンク案内広告文章が表示される複数のリンク元を示す情報と、該リンク元からのアクセス回数と、前記リンク元の媒体の種類を示す媒体情報と、前記リンク先で広告される商品の種類を示す商品情報とが関連づけられて登録される第１のデータベースと、
前記リンク元を示す情報と、各リンク元で表示されるリンク案内広告文章と、前記リンク元の媒体の種類を示す媒体情報と、前記リンク先で広告される商品の種類を示す商品情報とが関連づけられて登録される第２のデータベースと、
前記第１のデータベースおよび前記第２のデータベースを用いて、広告作成者によって入力された前記商品情報および前記媒体情報に対応する複数のリンク元を示す情報の中から、アクセス回数が上位の１又は複数のリンク元を示す情報を抽出し、前記抽出した１又は複数のリンク元を示す情報に関連付けられた１又は複数のリンク案内広告文章を表示し、前記広告作成者によって選択された前記１又は複数のリンク案内広告文章を保存する手段と、
前記保存されたリンク案内広告文書に基づいて、広告を作成する手段と
を備えることを特徴とする広告作成システム。
【請求項２】
前記媒体情報としてＷｅｂページを示す情報と、電子メールを示す情報と、チラシを示す情報と、ポスターを示す情報とを含み、前記電子メールを示す情報にはさらに、電子メールの送付先のグループの属性を有し、
前記抽出した１又は複数のリンク元を示す情報に関連付けられた１又は複数のリンク案内広告文章は、前記属性に対応して並び替えて表示されることを特徴とする請求項１に記載の広告作成システム。
【請求項３】
前記第１および第２のデータベースに登録されるリンク元を示す情報は、パラメータ付ＵＲＬであることを特徴とする請求項１または２に記載の広告作成システム。
【請求項４】
金融商品の詳細内容が表示されるウェブページをリンク先とし、このリンク先へのリンクが張られるとともに該リンク先へのリンク案内広告文章が表示される複数のリンク元を示す情報と、該リンク元からのアクセス回数と、前記リンク元の媒体の種類を示す媒体情報と、前記リンク先で広告される商品の種類を示す商品情報とが関連づけられて登録される第１のデータベースと、前記リンク元を示す情報と、各リンク元で表示されるリンク案内広告文章と、前記リンク元の媒体の種類を示す媒体情報と、前記リンク先で広告される商品の種類を示す商品情報とが関連づけられて登録される第２のデータベースとを備えたコンピュータを、
前記第１のデータベースおよび前記第２のデータベースを用いて、広告作成者によって入力された前記商品情報および前記媒体情報に対応する複数のリンク元を示す情報の中から、アクセス回数が上位の１又は複数のリンク元を示す情報を抽出し、前記抽出した１又は複数のリンク元を示す情報に関連付けられた１又は複数のリンク案内広告文章を表示し、前記広告作成者によって選択された前記１又は複数のリンク案内広告文章を保存する手段と、
前記保存されたリンク案内広告文書に基づいて、広告を作成する手段として機能させることを特徴とする広告作成プログラム。
【請求項５】
前記媒体情報としてＷｅｂページを示す情報と、電子メールを示す情報と、チラシを示す情報と、ポスターを示す情報とを含み、前記電子メールを示す情報にはさらに、電子メールの送付先のグループの含む属性を有し、
前記抽出した１又は複数のリンク元を示す情報に関連付けられた１又は複数のリンク案内広告文章は、前記属性に対応して並び替えて表示されることを特徴とする請求項４に記載の広告作成プログラム。
【請求項６】
前記第１および第２のデータベースに登録されるリンク元を示す情報は、パラメータ付ＵＲＬであることを特徴とする請求項４または５に記載の広告作成プログラム。
【発明の詳細な説明】
【技術分野】
【０００１】
本発明は、Ｗｅｂ、電子メール、紙媒体等を用いた金融商品の広告を作成するための広告作成システムおよび広告作成プログラム関する。
【背景技術】
【０００２】
金融機関で取り扱う金融商品には、例えば住宅ローン、教育ローン、マイカーローンなどの目的に応じたローンが存在する。これらの金融商品を消費者に周知させるために、Ｗｅｂ、電子メール、チラシ、ポスター等の様々な媒体を用いた広告が行われている。
【０００３】
また金融商品は、例えば、金利、金利優遇、担保の要否、保証人の要否、保証料の要否、手数料等の視覚的な要素とは異なる要素によってその商品内容が特定されるという性質がある。よって、金融商品の広告を作成する場合にはこれらの内容を具体的に表記することが必要となる。また、金融商品の性質から、景品・表示規約上の具体的なルールや行内規定等の具体的なルールに則った広告を作成することも求められる。
【０００４】
したがって、金融商品の広告を作成する場合は、一般の広告と異なり、デザイン的な観点以外に、広告の記載内容が満たすべきルールに則っているか否かという観点に基づいて担当者が確認することが必須である。
【０００５】
金融商品の広告作成時における確認担当者の負担を減らすために、予め決められた記載内容のみが表示された広告を作成できるようにテンプレートを用意して、金利等が変動した場合にその内容を更新させる方法が考えられる。
【発明の概要】
【発明が解決しようとする課題】
【０００６】
しかしながら、予め決められた記載内容のみの広告では、潜在的な顧客への訴求力に欠け、広告としての本来の機能が十分に発揮できないという問題がある。
【０００７】
本発明は、このような問題に鑑みてなされたもので、その目的とするところは、訴求力のある金融商品の広告作成が容易になるよう支援するための広告作成システムおよび広告物作成プログラムを提供することにある。
【課題を解決するための手段】
【０００８】
上記の課題を解決するために、請求項１に記載の発明は、金融商品の詳細内容が表示されるウェブページをリンク先とし、このリンク先へのリンクが張られるとともに該リンク先へのリンク案内広告文章が表示される複数のリンク元を示す情報と、該リンク元からのアクセス回数と、前記リンク元の媒体の種類を示す媒体情報と、前記リンク先で広告される商品の種類を示す商品情報とが関連づけられて登録される第１のデータベースと、上記リンク元を示す情報と、各リンク元で表示されるリンク案内広告文章と、前記リンク元の媒体の種類を示す媒体情報と、前記リンク先で広告される商品の種類を示す商品情報とが関連づけられて登録される第２のデータベースと、前記第１のデータベースおよび前記第２のデータベースを用いて、広告作成者によって入力された前記商品情報および前記媒体情報に対応する複数のリンク元を示す情報の中から、アクセス回数が上位の１又は複数のリンク元を示す情報を抽出し、前記抽出した１又は複数のリンク元を示す情報に関連付けられた１又は複数のリンク案内広告文章を表示し、前記広告作成者によって選択された前記１又は複数のリンク案内広告文章を保存する手段と、前記保存されたリンク案内広告文書に基づいて、広告を作成する手段とを備えることを特徴とする広告作成システムである。
【００１２】
請求項２に記載の発明は、請求項１に記載の広告作成システムにおいて、上記媒体情報としてＷｅｂページを示す情報と、電子メールを示す情報と、チラシを示す情報と、ポスターを示す情報とを含み、上記電子メールを示す情報にはさらに、電子メールの送付先のグループの属性を有し、上記抽出した１又は複数のリンク元を示す情報に関連付けられた１又は複数のリンク案内広告文章は、上記属性に対応して並び替えて表示されることを特徴とする。
【００１４】
請求項３に記載の発明は、請求項１または２に記載の広告作成システムにおいて、上記第１および第２のデータベースに登録されるリンク元を示す情報は、パラメータ付ＵＲＬであることを特徴とする。
【００１５】
上記の課題を解決するために、請求項４に記載の発明は、金融商品の詳細内容が表示されるウェブページをリンク先とし、このリンク先へのリンクが張られるとともに該リンク先へのリンク案内広告文章が表示される複数のリンク元を示す情報と、該リンク元からのアクセス回数と、前記リンク元の媒体の種類を示す媒体情報と、前記リンク先で広告される商品の種類を示す商品情報とが関連づけられて登録される第１のデータベースと、上記リンク元を示す情報と、各リンク元で表示されるリンク案内広告文章と、前記リンク元の媒体の種類を示す媒体情報と、前記リンク先で広告される商品の種類を示す商品情報とが関連づけられて登録される第２のデータベースとを備えたコンピュータを、前記第１のデータベースおよび前記第２のデータベースを用いて、広告作成者によって入力された前記商品情報および前記媒体情報に対応する複数のリンク元を示す情報の中から、アクセス回数が上位の１又は複数のリンク元を示す情報を抽出し、前記抽出した１又は複数のリンク元を示す情報に関連付けられた１又は複数のリンク案内広告文章を表示し、前記広告作成者によって選択された前記１又は複数のリンク案内広告文章を保存する手段と、前記保存されたリンク案内広告文書に基づいて、広告を作成する手段として機能させることを特徴とする広告作成プログラムである。
【００１９】
請求項５に記載の発明は、請求項４に記載の広告作成プログラムにおいて、上記媒体情報としてＷｅｂページを示す情報と、電子メールを示す情報と、チラシを示す情報と、ポスターを示す情報とを含み、上記電子メールを示す情報にはさらに、電子メールの送付先のグループの含む属性を有し、上記抽出した１又は複数のリンク元を示す情報に関連付けられた１又は複数のリンク案内広告文章は、上記属性に対応して並び替えて表示されることを特徴とする。
【００２１】
請求項６に記載の発明は、請求項４または５に記載の広告作成プログラムにおいて、上記第１および第２のデータベースに登録されるリンク元を示す情報は、パラメータ付ＵＲＬであることを特徴とする。
【図面の簡単な説明】
【００２２】
【図１】本発明にかかる広告作成プログラムを実施するのに好適な広告物作成システムの構成を示す図である。
【図２】商品ＤＢに格納された商品の表示事項の一例を示す図である。
【図３】金利ＤＢに格納された金利テーブルの一例を示す図である。
【図４】アクセス解析ＤＢに格納されたアクセス解析テーブルと、パラメータ管理ＤＢに格納されたパラメータ管理テーブルの一例を示す図である。
【図５】キーワード登録ＤＢに格納されたキーワード登録テーブルの一例を示す図である。
【図６】本発明の広告作成プログラムの処理フローの一例を示す図である。
【図７】仕様選択設定処理のサブルーチンの一例を示す図である。
【図８】金利等選択設定処理のサブルーチンの一例を示す図である。
【図９】キーワード抽出設定処理のサブルーチンの一例を示す図である。
【図１０】仕様ＤＢに格納されている広告媒体の仕様に表示事項を合成した一例を示す図である。
【図１１】仕様ＤＢに格納されている広告媒体の仕様に表示事項を合成した他の一例を示す図である。
【図１２】仕様ＤＢに格納されている広告媒体の仕様に表示事項を合成した他の一例を示す図である。
【図１３】仕様ＤＢに格納されている広告媒体の仕様に表示事項を合成した他の一例を示す図である。
【発明を実施するための形態】
【００２３】
以下、本発明の実施の形態について、詳細に説明する。本発明の広告作成システムおよび広告物作成プログラムは、広告の商品属性に適した案内広告文章（キーワード）を、アクセス回数（金融商品の詳細内容が表示されるウェブページをリンク先とし、このリンク先へのリンクが張られるとともに該リンク先へのリンク案内広告文章が表示される複数のリンク元からのアクセス回数）によって順位付けて広告の作成者に提示して広告に採用可能とすることによって、金融商品に求められる所定の規則に則った記載内容のなかで、より訴求力のある案内広告文章を広告に盛り込むことを可能し、より効果的な金融商品の広告の作成を可能とする。
【００２４】
図１は本発明にかかる広告物作成プログラムを実施するのに好適な広告作成システム１の構成を示す図である。図１に示すように、広告作成システム１は、広告作成支援システム１００に、勘定系システム２００と、アクセス解析システム３００とが接続されて構成されている。
【００２５】
広告作成支援システム１００は、金融商品の広告を作成する際に、必要に応じて勘定系システム２００から金利を取得して、適切な金利の表示を可能とし、アクセス解析システム３００からアクセス回数を取得して、訴求力のあるキーワードの選択を可能としている。
【００２６】
広告作成支援システム１００は、広告作成支援システム全体を制御する制御手段（システム制御部）１０１に、表示手段１０２と、入力手段１０３とが接続され、さらに、商品ＤＢ１０４と、金利選択エンジン１０５と、仕様選択エンジン１０６と、キーワード抽出エンジン１０７とが接続されて構成されている。
【００２７】
表示手段１０２は、選択画面の表示や作成した広告を画面上で確認するための表示を行う液晶モニタ等の表示装置である。入力手段１０３は、ユーザからの入力を受け付けるためのマウス、キーボード等の入力装置である。
【００２８】
商品ＤＢ１０４は、広告対象の金融商品毎に、金融商品に対応した表示事項を格納したデータベースである。広告対象の商品には例えば、住宅ローン、教育ローン、マイカーローン等が含まれるが、金融商品であればこれに限定されない。図２は金融商品としての「住宅ローン」に対応した表示事項の一例を示す図である。商品ＤＢ１０４に格納された表示事項は、例えば図２に示すように、「商品名」、「お使いみち」、「ご利用いただける方」等の表示項目と項目に対応した表示内容を含んでいる。
【００２９】
金利選択エンジン１０５は、後述する金利等の選択設定処理を実行して広告に記載すべき金利や金利優遇の記載について設定をする。金利選択エンジン１０５は、必要に応じて勘定系システム２００と連動して金利を設定し、また、商品ＤＢ１０４に格納された金融商品の表示事項のうちの金利優遇の表示・非表示を設定する。
【００３０】
勘定系システム２００は、金利ＤＢ２０１と金利ＤＢ２０１を制御する制御部２０２とを備えて構成される。金利ＤＢ２０１には、図３に示すように、商品ごとの金利が適用日付に関連付けられて格納されている。制御部２０２は、金利選択エンジン１０５からの要求に応じた金利情報を金利ＤＢ２０１から取り出して、金利選択エンジン１０５に渡す。
【００３１】
仕様選択エンジン１０６は、金融広告に採用すべき仕様（ロゴのサイズ、カラーのバリエーション、デザインのバリエーションなど）を格納した仕様ＤＢ１０６ａを有し、後述する仕様選択の設定処理を実行して金融広告の仕様を設定する。金融広告の媒体別の仕様としては、例えば図１０から図１３に示す仕様（表示事項を合成した例）が仕様ＤＢ１０６ａに格納されている。図１０は広告媒体がＷｅｂページの場合の仕様を示し、図１１は広告媒体が電子メールである場合の仕様を示し、図１２は広告媒体がポスターの場合の仕様を示し、図１３は広告媒体がチラシの場合の仕様を示している。図示の例では各広告媒体の種類毎に１種類のデザインしか示されていないが、広告媒体ごとに異なるデザインが格納され得る。
【００３２】
キーワード抽出エンジン１０７は、キーワード登録ＤＢ１０７ａを有し、後述するキーワード抽出設定処理を実行して金融商品に応じた訴求力のあるキーワードをキャッチフレーズとして採用する設定を行う。キーワード抽出エンジン１０７は、キーワード登録ＤＢ１０７ａを用い、アクセス解析システム３００と連動して予め登録されたキーワードの順位付けを行う。
【００３３】
アクセス解析システム３００は、アクセス解析ＤＢ３０１と、パラメータ管理ＤＢ３０２と、これらのＤＢ３０１、３０２を制御する制御部３０３とを備えて構成される。図４はアクセス解析ＤＢ３０１とパラメータ管理ＤＢ３０２とのテーブル構成を示している。アクセス解析ＤＢ３０１は、金融商品の詳細内容が表示されるＷｅｂページごとのアクセス回数をそのＷｅｂページのＵＲＬと関連付けて格納している。アクセス解析ＤＢ３０１に格納されるＵＲＬは、パラメータ管理ＤＢ３０２に格納されるリンク元のリンク先である。アクセス解析ＤＢ３０１には、複数の金融商品（住宅ローン、教育ローンなど）についてのアクセス回数が登録されている。アクセス解析システム３００には、金融商品の詳細内容が表示されたＷｅｂページが格納された図示しないＷｅｂサーバが接続されており、アクセス解析ＤＢ３０１にＵＲＬが登録されたＷｅｂページにアクセスがあった場合に、アクセス解析ＤＢ３０１においてそのＵＲＬに対応するアクセス回数が更新される。
【００３４】
パラメータ管理ＤＢ３０２には、アクセス解析ＤＢ３０１にＵＲＬが格納されたＷｅｂページをリンク先とし、このリンク先へのリンクが張られるとともに該リンク先へのリンク案内広告文章が表示される複数のリンク元（バナーなどを含むＷｅｂページ、電子メールなど）についてのパラメータを含んだＵＲＬであるパラメータ付ＵＲＬと、そのアクセス回数とを対応付けた複数のレコードが格納されている。リンク元のパラメータは、そのＵＲＬで示されるＷｅｂページへのアクセスがどのリンク元からなされたかを区別するために用いられる。図４の例では、リンク先（ＵＲＬがhttp://www.smbc.co.jp/Aで示されるＷｅｂページ）へ４つのリンク元が存在し、それぞれのリンク元は「http://www.smbc.co.jp/Acall=01」「http://www.smbc.co.jp/Acall=02」「http://www.smbc.co.jp/Acall=03」「http://www.smbc.co.jp/Acall=04」というパラメータ付ＵＲＬでそれぞれ区別されている。アクセス解析ＤＢ３０１にＵＲＬが登録されたＷｅｂページがアクセスされると、そのリンク元を識別して、アクセスされた該当Ｗｅｂページへのアクセス回数がリンク元ごとに更新されてパラメータ管理ＤＢ３０２に格納される。このパラメータ管理ＤＢ３０２を参照することにより、リンク元毎のアクセス回数を特定できる。
【００３５】
さらに図示の例では、パラメータ付ＵＲＬに、リンク元の媒体の種類（Ｗｅｂページ、電子メール、チラシ、ポスターなど）を示す媒体情報と、リンク先で広告されている商品の種類（住宅ローン、教育ローン、マイカーローンなど）を示す商品情報とが関連付けられてパラメータ管理ＤＢ３０２に格納されている。
【００３６】
またアクセス解析システム３００は、年齢、性別、住所地域、取引ぶり等の属性で識別されるグループごとに電子メールを送信することができる図示しない電子メールサーバと接続されている。取引ぶりとは、銀行との取引状況を示す情報であり、例えば、ローン残高、給与振込み、家族構成、運用商品保有の有無等を含む。電子メールサーバにおいて、アクセス解析ＤＢ３０１にＵＲＬが格納されたウェブページへのリンクを張った電子メールを送信した場合には、媒体情報として送信した電子メールがどのような属性のグループを対象に送信されたかがパラメータ付ＵＲＬに対応付けられてパラメータ管理ＤＢ３０２に登録される。
【００３７】
また、図５に示すように、キーワード登録ＤＢ１０７ａには、金融商品毎に、媒体情報と、リンク元の広告案内文章としてのキーワードと、リンク元としてのパラメータ付ＵＲＬとが関連付けられて登録される。
【００３８】
次に、本発明の広告作成プログラムの処理流れについて図６から図９のフローチャートを用いて説明する。本実施形態では、金融商品「住宅ローン」の「Ｗｅｂページ」の広告を作成する場合を例に挙げて説明する。
【００３９】
図６は本発明の広告作成プログラムの全体的な処理流れについて示す図である。図６において、まず、商品選択設定処理が行われる（ステップＳ６１０）。広告作成者が入力手段１０３を用いて「住宅ローン」を広告対象商品とする選択を行うと、システム制御部１０１は、選択された商品「住宅ローン」について広告に表示させるべき表示事項を商品ＤＢ１０４から抽出する。表示事項として抽出された例えば図２に示す項目と項目に対応した表示内容とが、これから作成される広告の表示事項として設定される。
【００４０】
商品が選択されると、システム制御部１０１は、仕様選択エンジン１０６と連動して、広告の仕様を設定する処理を行う（ステップＳ６２０）。図７はステップＳ６２０のサブルーチンを示す図である。図７に示すように、広告作成者が入力手段１０３から広告の媒体の種別が「Ｗｅｂページ」である旨を選択する入力を行うと、仕様選択エンジン１０６は、この入力を受け付けて（ステップＳ７１０）、選択された媒体「Ｗｅｂページ」の仕様を仕様ＤＢ１０６ａから抽出して、抽出したＷｅｂページの仕様にステップＳ６１０で抽出された表示事項を合成して図１０に示すような「Ｗｅｂページ」のイメージを表示手段１０２に表示（ステップＳ７２０）して、ユーザの確認入力（ステップＳ７３０）を促す。別の態様として、広告媒体にデザインバリエーションがある場合は、ステップＳ７１０において広告媒体のデザインバリエーションを表示手段１０２に表示して、ステップＳ７２０において、広告作成者に広告媒体の任意のデザインバリエーションを選択させる。
【００４１】
ステップＳ７３０において広告作成者の確認入力を受け付けると、広告に表示されるロゴのサイズ、カラーの選択肢を表示手段１０２に表示（ステップＳ７４０）して、広告作成者の選択入力（ステップＳ７５０）を促す。広告作成者の選択入力を受け付けると（ステップＳ７５０）、これらの選択が作成中の広告に反映されて、図６の処理フローに戻る。
【００４２】
図６において、使用開始日が入力されると、システム制御部１０１は、入力された日付を作成中の広告の使用開始日として設定する（ステップＳ６３０）。使用開始日が設定されると、システム制御部１０１が金利選択エンジン１０５と協働して、金利等選択設定の処理を実行する（ステップＳ６４０）。図８はステップＳ６４０のサブルーチンを示す図である。図８に示すように、まず、金利選択エンジン１０５が金利を記載するか否かを広告作成者に選択させる（ステップＳ８１０）。金利を記載することが選択された場合、金利選択エンジン１０５が勘定系システム２００と連動して金利を抽出する（ステップＳ８２０）。具体的には、金利選択エンジン１０５が勘定系システム２００に商品名「住宅ローン」と使用開始日付とに対応する金利データを要求すると、勘定系システム２００の制御部２０２は、金利ＤＢ２０１から適用日付が設定された使用開始日を含む「住宅ローン」の金利を抽出して、金利選択エンジン１０５に渡す。
【００４３】
金利選択エンジン１０５は、勘定系システムから抽出した金利を設定した後、金利優遇を広告に記載するか否かを広告作成者に選択させる（ステップＳ８３０）。金利優遇を広告に記載をしない旨が選択された場合、金利選択エンジン１０５は、システム制御部１０１において作成中の広告について保持された表示事項から金利優遇を削除して金利優遇を非表示とする設定を行い（ステップＳ８４０）、図６に示す処理フローに戻る。
【００４４】
図６のステップＳ６４０において金利等が設定された後、システム制御部１０１がキーワード抽出エンジン１０７と協働してキーワードを抽出する処理を行う（ステップＳ６５０）。図９はステップＳ６５０のサブルーチンを示す図である。図９に示すように、キーワード抽出エンジン１０７は、商品情報がステップＳ６１０において入力された「住宅ローン」であり、媒体情報がステップＳ６２０で入力された「Ｗｅｂページ」であるレコードをキーワード登録ＤＢ１０７ａから抽出する（図５参照、ステップＳ９１０）。
【００４５】
キーワード抽出エンジン１０７は、アクセス解析システム３００と協働してステップＳ９１０において、抽出したレコードに含まれるキーワードのアクセス回数をパラメータ管理ＤＢ３０２から抽出する（ステップＳ９２０）。具体的には、キーワード抽出エンジン１０７が、キーワード登録ＤＢ１０７ａから抽出されたレコードに含まれるパラメータ付ＵＲＬについてのアクセス回数をアクセス解析システム３００に要求すると、アクセス解析システムは、要求にかかるパラメータ付ＵＲＬを含むレコードをパラメータ管理ＤＢ３０２から抽出してキーワード抽出エンジン１０７に渡す。キーワード抽出エンジン１０７は、受け取ったレコードに含まれるパラメータ付ＵＲＬと、ステップＳ９１０で抽出したレコードに含まれるパラメータ付ＵＲＬとが一致する２つのレコードにそれぞれ含まれるアクセス回数とキーワードとを対応付けて、キーワードのアクセス回数を特定する。
【００４６】
次いで、アクセス回数に基づいてステップＳ９１０で抽出したレコードに含まれるキーワードをアクセス回数が多い順番に順位づけて（ステップＳ９３０）表示手段１０２に表示する（ステップＳ９４０）。この表示の際に、アクセス回数が最も多い１つのキーワードの表示を行うようにしてもよいし、アクセス回数が上位の複数のキーワードの表示を行うようにしてもよい。キーワード抽出エンジン１０７は、広告作成者が表示手段１０２に表示した「キーワード」のうち、どの「キーワード」を広告に採用するかについての選択入力を入力手段６０７から受け付ける（ステップＳ９５０）。選択された「キーワード」は、広告に採用されるキーワードとして保存される（ステップＳ９６０）。
【００４７】
キーワードの設定がなされた後、システム制御部１０１は、ステップＳ６１０からステップＳ６５０において保存された設定に基づいて広告の出来上がりイメージを表示手段１０２に表示し（ステップＳ６６０）、仕上がりが表示されたイメージでよいか否かを広告作成者に選択させる（ステップＳ６７０）。例えば、図１０に示すような広告のイメージが表示手段１０２に表示される。
【００４８】
図１０の広告において、選択された「キーワード」は、「インターネットでの一部繰上返済手数料が無料」、「３つのタイプから選べる金利種類」、「三大疾病に加え５つの重要慢性疾患もワイドに保障する住宅ローンもあります」である。仕上がりイメージがＯＫでない場合は、必要に応じて修正をおこなって（ステップＳ６８０）、作成された広告をＷｅｂサーバなどの適当な場所に保存する（ステップＳ６９０）。作成された広告は、必要に応じて、図示しない印刷手段で印刷したりしてもよい。
【００４９】
以上、本発明の広告作成システムおよび広告物作成プログラムによれば、金融商品として使用可能なキーワードについて、金融商品の詳細内容が表示されるウェブページをリンク先とし、このリンク先へのリンクが張られるとともに該リンク先へのリンク案内広告文章（キーワード）が表示される複数のリンク元に対するアクセス回数を指標として選択しているので、より訴求力の高いキーワードを採用した金融商品の広告の作成を行うことができる。
【００５０】
上記実施の形態では、広告媒体がＷｅｂページの場合を例に挙げて説明したが、広告媒体として電子メールが選択された場合、ステップＳ９４０においてアクセス回数の多い順にキーワードを表示するとともに、そのキーワードのレコードに媒体情報として含まれている年齢、性別、住所地域、取引ぶり等の属性を併せて表示させることができる。複数のキーワードを年齢、性別、住所地域、取引ぶりをキーに並べ替えてもよい。このようにすることによって、年齢、性別、住所地域、取引ぶり等の属性によってターゲットを絞った広告を作成する場合により効果的なキーワードを採用することができる。媒体情報として含まれている年齢、性別、住所地域、取引ぶり等の属性は、電子メールの送付先のグループの属性の例示であり、これに限定されない。
【００５１】
上記実施の形態では、キーワード抽出エンジン１０７が、キーワード登録ＤＢ１０７ａから商品情報と媒体情報とに対応するレコードを抽出した（ステップＳ９１０）後に、抽出したレコードに含まれるパラメータ付ＵＲＬ（リンク元）についてのアクセス回数をアクセス解析システムに要求して、アクセス解析システム３００が要求にかかるパラメータ付ＵＲＬを含むレコードをパラメータ管理ＤＢ３０２から抽出してキーワード抽出エンジン１０７に渡す（ステップＳ９２０）場合を例に挙げて説明したが、代替として、図４に示すようにアクセス解析システム３００のパラメータ管理ＤＢ３０２に商品情報と媒体情報とを含むレコードが記録されている場合には、キーワード抽出エンジン１０７がアクセス解析システム３００に商品情報と媒体情報とに対応するパラメータ付ＵＲＬ（リンク元）のアクセス回数を要求して、アクセス解析システム３００がパラメータ管理ＤＢ３０２から要求にかかる商品情報と媒体情報とに対応するレコードに含まれるパラメータ付ＵＲＬ（リンク元）とアクセス回数とをキーワード抽出エンジン１０７に渡すようにしてもよい。
【符号の説明】
【００５２】
１  ・・・広告作成システム
１００  ・・・広告作成支援システム
１０１  ・・・システム制御部
１０２  ・・・表示手段
１０３  ・・・入力手段
１０４  ・・・商品ＤＢ
１０５  ・・・金利選択エンジン
１０６  ・・・仕様選択エンジン
１０６ａ  ・・・仕様ＤＢ
１０７  ・・・キーワード抽出エンジン
１０７ａ  ・・・キーワード登録ＤＢ
２００  ・・・勘定系システム
２０１  ・・・金利ＤＢ
２０２  ・・・制御部
３００  ・・・アクセス解析システム
３０１  ・・・アクセス解析ＤＢ
３０２  ・・・パラメータ管理ＤＢ
３０３  ・・・制御部
【図１】
0005515107.tif 000002
【図２】
0005515107.tif 000003
【図３】
0005515107.tif 000004
【図４】
0005515107.tif 000005
【図５】
0005515107.tif 000006
【図６】
0005515107.tif 000007
【図７】
0005515107.tif 000008
【図８】
0005515107.tif 000009
【図９】
0005515107.tif 000010
【図１０】
0005515107.tif 000011
【図１１】
0005515107.tif 000012
【図１２】
0005515107.tif 000013
【図１３】
0005515107.tif 000014